(57)【要約】【課題】区画が確実にされ、着脱が容易で、かつ見栄えの良い仮設間仕切りシートを提供する。【解決手段】ダイニングと台所との区画境界位置ａの天井面ｂと両側の壁面ｃに面ファスナー１を取り付ける。区画境界位置ａに天井から複数枚の可撓性間仕切りシート２をダイニングと台所を仕切るように垂設する。面ファスナー１は、区画境界位置ａの天井面ｂと両側の壁面ｃにタッカー３によって留め付ける。間仕切りシート２の上辺２ａと左右側辺２ｂに面ファスナー５をそれぞれ取り付ける。各間仕切りシート２は上辺２ａの面ファスナー５を面ファスナー１に貼着して天井面ｂに取り付ける。左右側辺２ｂの面ファスナー５を互いに貼着して間仕切りシート２どうしを互いに接合する。【選択図】図１
0003135737.tif 000002
【実用新案登録請求の範囲】
【請求項１】
建物内部の特定空間を区画するための仮設間仕切りであって、少なくとも上辺と左右の側辺に面ファスナーまたは磁石を取り付けた複数枚の可撓性間仕切りシートと、仮設間仕切りを設置する区画境界位置に沿って天井面、または天井面および壁面に留め付けられる１または複数枚の帯状の面ファスナーまたは磁石とからなり、前記面ファスナーまたは磁石どうしの脱着により、前記可撓性間仕切りシートと天井面、または天井面および壁面、および可撓性間仕切りシートを相互に着脱可能としたことを特徴とする仮設間仕切り。
【請求項２】
前記複数枚の可撓性間仕切りシートのうち、少なくとも１枚には、上下方向に開閉可能なファスナーを取り付けた出入り口を設けてあることを特徴とする請求項１記載の仮設間仕切り。
【請求項３】
前記帯状の面ファスナーまたは磁石は、天井面、または天井面および壁面に対し、留付け金具で留め付けられることを特徴とする請求項１または２記載の仮設間仕切り。
【請求項４】
前記帯状の面ファスナーまたは磁石は、予め天井面、または天井面および壁面に留め付けるための棒状形材に貼着されていることを特徴とする請求項１または２記載の仮設間仕切り。
【考案の詳細な説明】
【技術分野】
【０００１】
本考案は、建物内で使用するための仮設間仕切りに関するもので、例えば居ながらのリフォーム工事を行う場合などにおいて、工事区画を居住空間に対し工事区画を仕切る場合や、建物内の特定の空間を防塵などの目的で仕切る場合、さらには、学校の行事などで、教室内に調理スペース等を作る場合などに利用することができる。
【背景技術】
【０００２】
例えば、住宅などのリフォーム工事などにおいて、特に居住者が住んでいる状態で工事を行う場合、建物内の工事区画を居住部と区画することが不可欠である。また、学校の行事などで、教室内で調理などを行う場合、防塵・防虫、さらには衛生対策として調理スペースを区画する場合がある。
【０００３】
このような場合、住宅のリフォーム工事などにおいては、一般に、ブルーのビニールシート等を現場で壁や天井に適宜取り付けて工事を行っている場合が多い。
【０００４】
また、非特許文献１には、間仕切りカーテンとして、ビニールシートを天井から垂らし、その際ビニールシートはその上辺を天井に複数の支柱で下から所定間隔おきに押し付けて取り付ける方法が記載されている。
【０００５】
【非特許文献１】“ファスナー付突っ張り防塵シート  マジキリン”、ふたば商事株式会社、〔平成１９年７月３日検索〕、インターネット＜URL:http://www.futabashouji.co.jp/majikirin/majikirin.htm＞
【考案の開示】
【考案が解決しようとする課題】
【０００６】
しかし、ブルーシートで区画養生する方法は、ブルーシートを取り付ける方法として特に決まった取付け方法がなく、またブルーシートが嵩張る等の理由により設置および撤去が面倒であったり、区画の状態にばらつきが生じやすい等の課題があった。
【０００７】
また、区画内に出入りするための専用の出入り口が特に設けられておらず、多くはシートの重ね合わせ部などから出入りしているため出入り口が不便であった。
【０００８】
さらに、シートの重ね合わせ部などに生じやすい隙間の処理が不十分だとホコリ等が区画内に侵入するおそれがあり、しかも見た目も悪く居住者に違和感を与える等の課題があった。
【０００９】
本考案は、以上の課題を解決するためになされたもので、区画が確実にされ、着脱が容易で、かつ見栄えも良い仮設間仕切りシートを提供することを目的とする。
【課題を解決するための手段】
【００１０】
請求項１記載の仮設間仕切りは、建物内部の特定空間を区画するための仮設間仕切りであって、少なくとも上辺と左右の側辺に面ファスナーまたは磁石を取り付けた複数枚の可撓性間仕切りシートと、仮設間仕切りを設置する区画境界位置に沿って天井面、または天井面および壁面に留め付けられる１または複数枚の帯状の面ファスナーまたは磁石とからなり、前記面ファスナーまたは磁石どうしの脱着により、前記可撓性間仕切りシートと天井面、または天井面および壁面、および可撓性間仕切りシートを相互に着脱可能としたことを特徴とするものである。
【００１１】
本考案は、住宅のリフォームなどで居室の一部を仮設間仕切りで区画する際に、一定範囲を確実に区画することができ、かつ仮設間仕切りの設置および撤去を容易に行えるようにしたものである。
【００１２】
間仕切りシートには、区画の目的に応じてブルーシートやホワイトシート等を用いることができ、例えば住宅のリフォーム等で工事区画と居室部を区画する場合、ホワイトシートを用いると室内での違和感がなく、また清潔な感じを与えることから望ましい。また、寸法(主に幅寸法)の異なる間仕切りシートを数種類用意し、これらを適宜選択し互いにつなぎ合わせて利用することにより、区画境界位置の間口（開口幅）の広さに容易に対応することができる。
【００１３】
また、面ファスナーまたは磁石を天井と壁に留め付ける方法としては、区画境界位置の天井と壁もリフォームされることから、タッカー等の留付け金具によって直接留め付けることができる。
【００１４】
さらに、磁石には定型性を有する帯板状または棒状の磁石、あるいは変形可能な可撓性を有する薄帯板状の磁石を用いることができる。
【００１５】
請求項２記載の仮設間仕切りは、請求項１記載の仮設間仕切りにおいて、前記複数枚の可撓性間仕切りシートのうち、少なくとも１枚には、上下方向に開閉可能なファスナーを取り付けた出入り口を設けてあることを特徴とするものである。
【００１６】
本考案は、一部の間仕切りシートに出入り口を設けることにより、区画内への出入りをスムーズに行なえるようにすると共に、出入り口に生じやすい隙間をファスナーによって確実に密閉できるようにしたものである。
【００１７】
この場合のファスナーとして、出入口の中央から上方に開くファスナーと下方に開くファスナーとをダブルに設けることにより、出入り口の開閉を素早く行なうことができる。
【００１８】
請求項３記載の仮設間仕切りは、請求項１または２記載の仮設間仕切りにおいて、前記帯状の面ファスナーまたは磁石は、天井面、または天井面および壁面に対し、留付け金具で留め付けられることを特徴とするものである。留付け金具としてタッカー等を用いることができる。
【００１９】
請求項４記載の仮設間仕切りは、請求項１〜３に記載の仮設間仕切りにおいて、前記帯状の面ファスナーまたは磁石は、予め天井面、または天井面および壁面に留め付けるための棒状形材に貼着されていることを特徴とするものである。特に面ファスナーは棒状形材に貼着されていることで、面ファスナーをライナー材として天井や壁に留付け金具によって容易に留付けることができる。なお、棒状形材として樹脂製のアングル等を用いることができる。
【考案の効果】
【００２０】
本考案は、住宅のリフォームなどで居室の一部を仮設間仕切りで区画する際に、複数の可撓性の間仕切りシートによって一定範囲を確実に区画することができ、また、間仕切りシートはあらかじめ天井や壁に帯状の面ファスナーまたは磁石を取り付け、それに対しシート側の面ファスナーまたは磁石を貼着して取り付けられるので、間仕切りシートの設置および撤去も簡単に行うことができる。
【００２１】
さらに、一部の間仕切りシートにファスナーによって開閉自在な出入り口が設けられているので、区画内への出入りをスムーズに行なうことが可能であると共に、出入り口に生じやすい隙間を確実に密閉することができる。
【考案を実施するための最良の形態】
【００２２】
図１〜図３は、ダイニングをリフォームするため、仮設間仕切りによってダイニングを台所と養生区画した例を示し、図において、ダイニングと台所との区画境界位置ａの天井面ｂと両側の壁面ｃに面ファスナー１がそれぞれ取り付けられている。また、区画境界位置ａに天井から複数枚の可撓性間仕切りシート２がダイニングと台所を完全に仕切るように垂設されている。
【００２３】
面ファスナー１は、区画境界位置ａの天井面と両側の壁面にタッカー３によって所定間隔おきに留め付けることにより天井面ｂから両側の壁面ｃに帯状に連続して取り付けられている。
【００２４】
図２（ａ），（ｂ）は、特に面ファスナー１を天井面ｂに留め付ける方法を示し、図２（ａ）において、面ファスナー１は天井面にタッカー３によって直接留付けられており、また、図２（ｂ）において、面ファスナー１はＬ字形の棒状形材４を介して天井面ｂに留め付けられている。この場合、面ファスナー１は棒状形材４の垂直フランジ４ａに貼着され、また棒状形材４は水平フランジ４ｂを天井面ｃにタッカー３によって所定間隔おきに留め付けられている。
【００２５】
間仕切りシート２は縦長の長方形状に形成され、その上辺２ａと左右側辺２ｂに面ファスナー５がそれぞれ周方向に連続して取り付けられている。また特に、区画境界位置ａの端部に垂設された間仕切りシート２Ａに、上下方向に開閉可能なファスナー６を取り付けた出入り口７が設けられている。なお、ファスナー６は上方に開くファスナーと下方に開くファスナーとダブルに取り付けられている。
【００２６】
そして、各間仕切りシート２は上辺２ａの面ファスナー５を天井面に取り付けられた面ファスナー１に貼着することにより天井から垂設され、また左右側辺２ｂに取り付けられた面ファスナー５どうしを互いに貼着することにより互いに接合され、さらに区画境界域位置ａの両端部に垂設された間仕切りシート２Ａの壁面側の端部は、当該間仕切りシート２Ａの壁面側の側辺２ｂに取り付けられた面ファスナー５を壁面に取り付けられた面ファスナー１に貼着することにより壁面と接合されている。こうして、ダイニングは仮設間仕切りによって台所と完全に区画されている。
【００２７】
図４（ａ），（ｂ）は、外窓のサッシを取替えるに際し、窓際の一定範囲を仮設間仕切りによって区画する例を示し、この場合、養生区画内でサッシ取替えをスムーズに行なうには外壁より３尺（約１ｍ）程度内側に仮設間仕切りを設置するのがよい。
【００２８】
また、図５（ａ），（ｂ）は、住宅内を仮設間仕切りによって一階と二階に区画する例を示し、この場合、階段下に仮設間仕切りを設置することにより、わずかの間仕切りシートを用いて上下階を確実に区画することができる。
【図面の簡単な説明】
【００２９】
【図１】台所とダイニングとを仮設間仕切りによって区画する例を示し、(ａ)はその平面図、(ｂ)は正面図である。
【図２】面ファスナーを天井面に取り付ける方法を示し、（ａ）は面ファスナーを天井面に直接取り付ける例を示す縦断面図、（ｂ）は面ファスナーを天井面に棒状形材を介して取り付ける例を示す縦断面図、である。
【図３】(ａ)，(ｂ)，(ｃ)は、間仕切りシートの一例を示す正面図である。
【図４】窓際の一定範囲を区画する例を示し、（ａ）は平面図、（ｂ）は正面図である。
【図５】住宅の一階と二階を区画する例を示し、（ａ）は階段部分の縦断面図、（ｂ）は正面図である。
【符号の説明】
【００３０】
１  面ファスナー
２  間仕切りシート（可撓性間仕切りシート）
３  タッカー（留付け金具）
４  棒状形材
５  面ファスナー
６  ファスナー
７  出入り口
【図１】
0003135737.tif 000003
【図２】
0003135737.tif 000004
【図３】
0003135737.tif 000005
【図４】
0003135737.tif 000006
【図５】
0003135737.tif 000007